(57)【要約】【課題】  特別な設備を付加することなく、食品工場の仕込み水や殺菌洗浄に用いるような高温湯と、従業員が手を洗浄したり、シャワーを浴びたりできる複数の中温湯とを給湯できるようにする。【解決手段】  給湯システム本体１には、給水配管２と、蒸気配管３と、高温湯の高温給湯配管４と、中温湯の複数の中温給湯配管６ａ、６ｂ、…、６ｃとが設けられる。給水配管２に水が供給され、蒸気配管３に蒸気が供給される。給湯システム本体１の熱交換器２１で、熱交換器により９５度前後の高温湯が作られ、この高温湯が高温給湯配管４に送られる。サーモスタット付きミキサ２３ａ、２３ｂ、…、２３ｃで、高温湯と水とが混合され、４０度〜６０度の中温湯が作られ、この中温湯が中温給湯配管６ａ、６ｂ、…、６ｃに送られる。これにより、高温湯と複数の中温湯とを、特別な設備を付加することなく、給湯することができる。【選択図】      図１
0003102169.tif 000002
【実用新案登録請求の範囲】
【請求項１】
蒸気を用いた熱交換器で外部からの水を加熱して高温湯にする給湯装置において、
外部からの水が供給される給水配管と、
蒸気が供給される蒸気配管と、
前記熱交換器により加熱された高温湯が供給される高温給湯配管と、
前記熱交換器により加熱された高温湯と水とを混合する複数のサーモスタット付きミキサと、
前記の各サーモスタット付きミキサで作られた中温湯が供給される中温給湯配管とを備え、
前記高温給湯配管は前記高温湯を循環させる高温循環配管で構成され、この高温循環配管経路中に、前記高温湯を供給するための高温給湯弁および高温ポンプを設け、
前記中温給湯配管は前記中温湯を循環させる中温循環配管で構成され、この中温循環配管経路中に、前記中温湯を供給するための中温給湯弁および中温ポンプを設け、さらに、中温循環湯の一部をバイパスする分流調整弁を設け、各分流弁からバイパスされた戻り中温湯は前記の高温循環配管経路中の高温ポンプの入口側に戻される
ことを特徴とする給湯装置。
【請求項２】
蒸気を用いた熱交換器で外部からの水を加熱して高温湯にする給湯装置において、
外部からの水が供給される給水配管と、
蒸気が供給される蒸気配管と、
前記熱交換器により加熱された高温湯が供給される高温給湯配管と、
前記熱交換器により加熱された高温湯と水とを混合する複数のサーモスタット付きミキサと、
前記の各サーモスタット付きミキサで作られた中温湯が供給される中温給湯配管とを備え、
前記高温給湯配管は前記高温湯を循環させる高温循環配管で構成され、この高温循環配管経路中に、前記高温湯を供給するための高温給湯弁および高温ポンプを設け、
前記中温給湯配管は、前記中温湯を供給するための中温給湯弁および前記中温湯をその先端で止める中温終端栓を設ける
ことを特徴とする給湯装置。
【請求項３】
蒸気を用いた熱交換器で外部からの水を加熱して高温湯にする給湯装置において、
外部からの水が供給される給水配管と、
蒸気が供給される蒸気配管と、
前記熱交換器により加熱された高温湯が供給される高温給湯配管と、
前記熱交換器により加熱された高温湯と水とを混合する複数のサーモスタット付きミキサと、
前記の各サーモスタット付きミキサで作られた中温湯が供給される中温給湯配管とを備え、
前記高温給湯配管は、前記高温湯を供給するための高温給湯弁および前記高温湯をその先端で止める高温終端栓を設け、一方、前記熱交換器の供給口から戻り口に至る高温バイパス配管を設け、この高温バイパス配管経路中に高温ポンプを設け、
前記中温給湯配管は前記中温湯を循環させる中温循環配管で構成され、この中温循環配管経路中に、前記中温湯を供給するための中温給湯弁および中温ポンプを設け、さらに、中温循環湯の一部をバイパスする分流調整弁を設け、各分流弁からバイパスされた戻り中温湯は前記の高温バイパス配管経路中の高温ポンプの入口側に戻される
ことを特徴とする給湯装置。
【請求項４】
蒸気を用いた熱交換器で外部からの水を加熱して高温湯にする給湯装置において、
外部からの水が供給される給水配管と、
蒸気が供給される蒸気配管と、
前記熱交換器により加熱された高温湯が供給される高温給湯配管と、
前記熱交換器により加熱された高温湯と水とを混合する複数のサーモスタット付きミキサと、
前記の各サーモスタット付きミキサで作られた中温湯が供給される中温給湯配管とを備え、
前記高温給湯配管は、前記高温湯を供給するための高温給湯弁および前記高温湯をその先端で止める高温終端栓を設け、一方、前記熱交換器の供給口から戻り口に至るバイパス配管を設け、このバイパス配管経路中に高温ポンプを設け、
前記中温給湯配管は、前記中温湯を供給するための中温給湯弁および前記中温湯をその先端で止める中温終端栓を設ける
ことを特徴とする給湯装置。
【考案の詳細な説明】
【技術分野】
【０００１】
本考案は、仕込み水や殺菌洗浄の他、手の洗浄やシャワー等、温度の異なる多数の給湯弁を有する給湯装置に関する。
【背景技術】
【０００２】
従来、食品工場などにおいて、高温の仕込み水や殺菌洗浄等を行うのに好適な高温湯が給湯できる給湯装置として、本願出願人は、先に、給水配管に供給された水を熱交換器に送ると共に、蒸気配管に供給された蒸気を熱交換器に送り、蒸気を熱源とする熱交換器により水を間接加熱させるようにしたものを提案している（実願２００３−００３２５０号）。また、蒸気と水とを直接混合させて温水を得る方式としては、例えば特許文献１に示されるものが知られている。
【特許文献１】特開２００１−１４１１４８号公報
【考案の開示】
【考案が解決しようとする課題】
【０００３】
食品工場等においては、このような工場内の高温の仕込み水や殺菌洗浄等を行う他に、従業員が手を洗浄したり、シャワーを浴びたりするのに、湯が用いられる。このときに使用される湯としては、例えば４０度から６０度の中温湯が用いられる。
【０００４】
従来の蒸気を熱源とする熱交換器により水を間接加熱させるようにした給湯装置では、給湯装置本体からは、手を洗浄したり、シャワーを浴びたりするような中温湯を給湯するための給湯配管は設けられていない。このため、従業員が手を洗浄したり、シャワーを浴びたりするための例えば４０度から６０度の中温湯が必要な場合には、給湯装置からの高温湯と外部の水とを混合して適温にするような設備を新たに付加する必要があった。
【０００５】
本考案は、上述の従来の課題を鑑み、高温湯のみならず、複数の中温湯を給湯することができるようにした給湯装置を提供することを目的とする。
【課題を解決するための手段】
【０００６】
上述の課題を解決するために、第１の考案は、蒸気を用いた熱交換器で外部からの水を加熱して高温湯にする給湯装置において、外部からの水が供給される給水配管と、蒸気が供給される蒸気配管と、熱交換器により加熱された高温湯が供給される高温給湯配管と、熱交換器により加熱された高温湯と水とを混合する複数のサーモスタット付きミキサと、各サーモスタット付きミキサで作られた中温湯が供給される中温給湯配管とを備え、高温給湯配管は高温湯を循環させる高温循環配管で構成され、この高温循環配管経路中に、高温湯を供給するための高温給湯弁および高温ポンプを設け、中温給湯配管は中温湯を循環させる中温循環配管で構成され、この中温循環配管経路中に、中温湯を供給するための中温給湯弁および中温ポンプを設け、さらに、中温循環湯の一部をバイパスする分流調整弁を設け、各分流弁からバイパスされた戻り中温湯は高温循環配管経路中の高温ポンプの入口側に戻されることを特徴とする。
【０００７】
第２の考案は、蒸気を用いた熱交換器で外部からの水を加熱して高温湯にする給湯装置において、外部からの水が供給される給水配管と、蒸気が供給される蒸気配管と、熱交換器により加熱された高温湯が供給される高温給湯配管と、熱交換器により加熱された高温湯と水とを混合する複数のサーモスタット付きミキサと、各サーモスタット付きミキサで作られた中温湯が供給される中温給湯配管とを備え、高温給湯配管は高温湯を循環させる高温循環配管で構成され、この高温循環配管経路中に、高温湯を供給するための高温給湯弁および高温ポンプを設け、中温給湯配管は、中温湯を供給するための中温給湯弁および中温湯をその先端で止める中温終端栓を設けることを特徴とする。
【０００８】
第３の考案は、蒸気を用いた熱交換器で外部からの水を加熱して高温湯にする給湯装置において、外部からの水が供給される給水配管と、蒸気が供給される蒸気配管と、熱交換器により加熱された高温湯が供給される高温給湯配管と、熱交換器により加熱された高温湯と水とを混合する複数のサーモスタット付きミキサと、各サーモスタット付きミキサで作られた中温湯が供給される中温給湯配管とを備え、高温給湯配管は、高温湯を供給するための高温給湯弁および高温湯をその先端で止める高温終端栓を設け、一方、熱交換器の供給口から戻り口に至る高温バイパス配管を設け、この高温バイパス配管経路中に高温ポンプを設け、中温給湯配管は中温湯を循環させる中温循環配管で構成され、この中温循環配管経路中に、中温湯を供給するための中温給湯弁および中温ポンプを設け、さらに、中温循環湯の一部をバイパスする分流調整弁を設け、各分流弁からバイパスされた戻り中温湯は高温バイパス配管経路中の高温ポンプの入口側に戻されることを特徴とする。
【０００９】
第４の考案は、蒸気を用いた熱交換器で外部からの水を加熱して高温湯にする給湯装置において、外部からの水が供給される給水配管と、蒸気が供給される蒸気配管と、熱交換器により加熱された高温湯が供給される高温給湯配管と、熱交換器により加熱された高温湯と水とを混合する複数のサーモスタット付きミキサと、各サーモスタット付きミキサで作られた中温湯が供給される中温給湯配管とを備え、高温給湯配管は、高温湯を供給するための高温給湯弁および高温湯をその先端で止める高温終端栓を設け、一方、熱交換器の供給口から戻り口に至るバイパス配管を設け、このバイパス配管経路中に高温ポンプを設け、中温給湯配管は、中温湯を供給するための中温給湯弁および中温湯をその先端で止める中温終端栓を設けることを特徴とする。  
【考案の効果】
【００１０】
第１の考案によれば、蒸気を用いた熱交換器で外部からの水を加熱して高温湯にする給湯装置において、外部からの水が供給される給水配管と、蒸気が供給される蒸気配管と、熱交換器により加熱された高温湯が供給される高温給湯配管と、熱交換器により加熱された高温湯と水とを混合する複数のサーモスタット付きミキサと、各サーモスタット付きミキサで作られた中温湯が供給される中温給湯配管とを備え、高温給湯配管は高温湯を循環させる高温循環配管で構成され、この高温循環配管経路中に、高温湯を供給するための高温給湯弁および高温ポンプを設け、中温給湯配管は中温湯を循環させる中温循環配管で構成され、この中温循環配管経路中に、中温湯を供給するための中温給湯弁および中温ポンプを設け、さらに、中温循環湯の一部をバイパスする分流調整弁を設け、各分流弁からバイパスされた戻り中温湯は高温循環配管経路中の高温ポンプの入口側に戻されるようにしているので、例えば食品工場の仕込み水や殺菌洗浄に用いるような高温湯と、従業員が手を洗浄したり、シャワーを浴びたりするときのような複数の中温湯を、特別な設備を付加することなく、給湯することができる。また、第１の考案によれば、高温湯及び中温湯を循環方式により給湯するようにしているので、高温給湯弁及び中温給湯弁を開くと常に所望の温度の高温温湯及び中温湯が待ち時間なく給湯できる。
【００１１】
第２の考案によれば、蒸気を用いた熱交換器で外部からの水を加熱して高温湯にする給湯装置において、外部からの水が供給される給水配管と、蒸気が供給される蒸気配管と、熱交換器により加熱された高温湯が供給される高温給湯配管と、熱交換器により加熱された高温湯と水とを混合する複数のサーモスタット付きミキサと、各サーモスタット付きミキサで作られた中温湯が供給される中温給湯配管とを備え、高温給湯配管は高温湯を循環させる高温循環配管で構成され、この高温循環配管経路中に、高温湯を供給するための高温給湯弁および高温ポンプを設け、中温給湯配管は、中温湯を供給するための中温給湯弁および中温湯をその先端で止める中温終端栓を設けるようにしているので、例えば食品工場の仕込み水や殺菌洗浄に用いるような高温湯と、従業員が手を洗浄したり、シャワーを浴びたりするときのような複数の中温湯を、特別な設備を付加することなく、給湯することができる。また、第２の考案によれば、高温湯を循環方式により給湯しているので、高温給湯弁を開くと常に所望の温度の高温温湯が待ち時間なく給湯でき、また、中温湯は先止め方式で給湯しているため、装置構成を簡単化することができる。
【００１２】
第３の考案によれば、蒸気を用いた熱交換器で外部からの水を加熱して高温湯にする給湯装置において、外部からの水が供給される給水配管と、蒸気が供給される蒸気配管と、熱交換器により加熱された高温湯が供給される高温給湯配管と、熱交換器により加熱された高温湯と水とを混合する複数のサーモスタット付きミキサと、各サーモスタット付きミキサで作られた中温湯が供給される中温給湯配管とを備え、高温給湯配管は、高温湯を供給するための高温給湯弁および高温湯をその先端で止める高温終端栓を設け、一方、熱交換器の供給口から戻り口に至る高温バイパス配管を設け、この高温バイパス配管経路中に高温ポンプを設け、中温給湯配管は中温湯を循環させる中温循環配管で構成され、この中温循環配管経路中に、中温湯を供給するための中温給湯弁および中温ポンプを設け、さらに、中温循環湯の一部をバイパスする分流調整弁を設け、各分流弁からバイパスされた戻り中温湯はの高温バイパス配管経路中の高温ポンプの入口側に戻されるようにしているので、例えば食品工場の仕込み水や殺菌洗浄に用いるような高温湯と、従業員が手を洗浄したり、シャワーを浴びたりするときのような複数の中温湯を、特別な設備を付加することなく、給湯することができる。また、第３の考案によれば、中温湯を循環方式により給湯しているので、中温給湯弁を開くと常に所望の温度の中温湯が待ち時間なく給湯でき、また、高温湯を先止め方式で給湯しているので、装置構成を簡単化することができる。
【００１３】
第４の考案によれば、蒸気を用いた熱交換器で外部からの水を加熱して高温湯にする給湯装置において、外部からの水が供給される給水配管と、蒸気が供給される蒸気配管と、熱交換器により加熱された高温湯が供給される高温給湯配管と、熱交換器により加熱された高温湯と水とを混合する複数のサーモスタット付きミキサと、各サーモスタット付きミキサで作られた中温湯が供給される中温給湯配管とを備え、高温給湯配管は、高温湯を供給するための高温給湯弁および高温湯をその先端で止める高温終端栓を設け、一方、熱交換器の供給口から戻り口に至るバイパス配管を設け、このバイパス配管経路中に高温ポンプを設け、中温給湯配管は、中温湯を供給するための中温給湯弁および中温湯をその先端で止める中温終端栓を設けるようにしているので、例えば食品工場の仕込み水や殺菌洗浄に用いるような高温湯と、従業員が手を洗浄したり、シャワーを浴びたりするときのような複数の中温湯を、特別な設備を付加することなく、給湯することができる。また、第４の考案によれば、高温湯及び中温湯を共に先止め方式で給湯しているので、装置構成を簡単化することができる。
【考案を実施するための最良の形態】
【００１４】
第１実施形態．
以下、本考案の実施の形態について図面を参照しながら説明する。図１は、本考案の第１実施形態を示すものである。この実施形態は、高温の給湯及び中温の給湯を循環方式で行うようにしたものである。
【００１５】
図１において、給湯システム本体１は、蒸気を使って水を加熱し、例えば９５度前後の高温湯と、例えば４０度〜６０度の複数の中温湯を作る。給湯システム本体１には、給水配管２、蒸気配管３、高温給湯配管４とその戻り配管５、複数の中温の中温給湯配管６ａ、６ｂ、…、６ｃ及びその戻り配管７ａ、７ｂ、…、７ｃが設けられている。
【００１６】
給水配管２には、外部より水が供給される。給水配管２からの水は、ストレーナー２４を介した後、逆止弁２５を通って、熱交換器２１に送られると共に、逆止弁２６ａ、２６ｂ、…、２６ｃをそれぞれ通って、サーモスタット付きミキサ２３ａ、２３ｂ、…、２３ｃに送られる。
【００１７】
蒸気配管３には、蒸気が供給される。蒸気配管３からの蒸気は、ストレーナー２７を介して、高温異常遮断弁２８、温調弁２９を通って、熱交換器２１に送られ、スチームトラップ３０を経て、ドレン３１から外部に排出される。
【００１８】
給水配管２からの水が熱交換器２１を通ると、蒸気配管３から供給された蒸気により、給水配管２からの水の温度が上昇され、高温湯となる。熱交換器２１からの高温湯は、高温給湯配管３２に送られる。高温給湯配管３２を通る湯の温度は、温度センサ３３により検出される。この温度センサ３３の検出出力は制御装置２２に送られる。
【００１９】
制御装置２２は、温度センサ３３の検出出力に応じて温調弁２９を開閉制御し、循環する湯の温度が目標値となるように制御する。すなわち、湯の温度が目標値より低いときには、温調弁２９が開かれ、蒸気の流量が増加される。湯の温度が目標値より高いときには、温調弁２９が閉じられ、蒸気の流量が減少される。また、湯の温度が異常に高温になったときには、安全のために、高温異常遮断弁２８が閉じられ、蒸気は遮断される。
【００２０】
熱交換器２１からの高温湯は、高温給湯配管３２から高温給湯配管４に送られると共に、逆止弁３４ａ、３４ｂ、…、３４ｃをそれぞれ通って、サーモスタット付きミキサ２３ａ、２３ｂ、…、２３ｃに送られる。また、サーモスタット付きミキサ２３ａ、２３ｂ、…、２３ｃのそれぞれに、逆止弁２６ａ、２６ｂ、…、２６ｃを通って、給水配管２からの水が送られる。サーモスタット付きミキサ２３ａ、２３ｂ、…、２３ｃで、それぞれ、熱交換器２１からの高温湯と、給水配管２からの水とが混合され、例えば、４５度〜６０度の所定の温度に設定された中温湯が作られる。この中温湯は、中温給湯配管６ａ、６ｂ、…、６ｃにそれぞれ送られ、戻り配管７ａ、７ｂ、…、７ｃを通って、分流調整弁３５ａ、３５ｂに送られ、中温給湯配管６ａ、６ｂ、…、６ｃと戻り配管７ａ、７ｂ、…、７ｃとの間を循環する。また、分流調整弁３５ａ、３５ｂ、…、３５ｃを通った中温湯の一部がフローメーター３８ａ、３８ｂ、…、３８ｃを介して分流され、それぞれ、戻り配管３７ａ、３７ｂ、…、３７ｃに送られる。
【００２１】
中温給湯配管６ａ、６ｂ、…、６ｃと対応する各戻り配管７ａ、７ｂ、…、７ｃの間には、中温給湯弁１２ａ、１２ｂ、…、１２ｃと、循環経路中の中温湯の流れを付勢する中温ポンプ１３ａ、１３ｂ、…、１３ｃがそれぞれ設けられる。中温湯を供給する給湯弁１２ａ、１２ｂ、…、１２ｃが閉じているときには、中温給湯配管６ａ、６ｂ、…、６ｃ、戻り配管７ａ、７ｂ、…、７ｃを通って中温湯が循環し、この循環する中温湯の一部が分流調整弁３５ａ、３５ｂ、…、３５ｃでそれぞれ分流され、戻り配管３７ａ、３７ｂ、…、３７ｃに送られ、戻り配管３９で合流され、逆止弁４０を通って戻り配管５に送られ、合流点４１から熱交換器２１に送られる。
【００２２】
中温給湯弁１２ａ、１２ｂ、…、１２ｃが開かれると、中温給湯弁１２ａ、１２ｂ、…、１２ｃから、例えば４０度〜６０度の湯が供給される。この中温湯は、手洗いやシャワーに用いられる。中温給湯弁１２ａ、１２ｂ、…、１２ｃが開かれると、中温給湯弁１２ａ、１２ｂ、…、１２ｃから中温湯が供給されるため、戻り配管７ａ、７ｂ、…、７ｃを通る湯の量が少なくなる。このときには、分流調整弁３５ａ、３５ｂ、…、３５ｃを通った中温湯が、それぞれ逆止弁２６ａ、２６ｂ、…、２６ｃをそれぞれ介して供給された水と合わされて、サーモスタット付きミキサ２３ａ、２３ｂ、…、２３ｃに供給される。
【００２３】
高温給湯配管４と戻り配管５の間には、１以上の高温給湯弁９と、循環経路中の高温湯の流れを付勢する高温ポンプ１０と、逆止弁１１が設けられる。高温給湯弁９が閉じられているときには、熱交換器２１からの高温湯は、高温給湯配管４、戻り配管５からなる循環経路を経て、合流点４１に達し、合流点４１から熱交換器２１に入って循環される。
【００２４】
高温給湯弁９が開かれると、高温給湯弁９から、例えば、９５度前後の高温湯が得られる。この高温湯は、例えば、仕込み水や殺菌洗浄に用いられる。高温給湯弁９が開かれると、高温給湯弁９から、高温湯が供給されるため、高温給湯配管４、戻り配管５からなる循環経路を経て流れる循環高温湯の量が少なくなる。このときには、所定の流量を確保するために、給水配管２からの水が合流点４１から熱交換器２１に供給され、この水が熱交換器２１で加熱されて、循環される。
【００２５】
以上のように、この実施の形態では、高温湯及び中温湯の給湯は、双方とも循環方式により供給するようにしている。これにより、給湯弁を開くと常に所望の温度の高温湯又は中温湯を給湯することができる。
第２実施形態．
図２は、本考案の第２実施形態を示すものである。この実施形態は、高温湯を循環方式で給湯し、複数の中温湯を先止め方式で給湯するようにしたものである。
【００２６】
図２において、給湯システム本体１は、蒸気を使って水を加熱し、例えば、９５度前後の高温湯と、例えば、４０度〜６０度の複数の中温湯を作る。給湯システム本体１には、給水配管２、蒸気配管３、高温給湯配管４及びその戻り配管５、複数の中温給湯配管６ａ、６ｂ、…、６ｃが設けられている。
【００２７】
給水配管２には、外部より水が供給される。給水配管２からの水は、ストレーナー２４を介した後、逆止弁２５を通って、熱交換器２１に送られると共に、逆止弁２６ａ、２６ｂ、…、２６ｃをそれぞれ通って、サーモスタット付きミキサ２３ａ、２３ｂ、…、２３ｃに送られる。
【００２８】
蒸気配管３には、蒸気が供給される。蒸気配管３からの蒸気は、ストレーナー２７を介した後、高温異常遮断弁２８、温調弁２９を通って、熱交換器２１に送られ、スチームトラップ３０を経て、ドレン３１から外部に排出される。
【００２９】
給水配管２からの水が熱交換器２１を通ると、蒸気配管３から供給された蒸気により、給水配管２からの水の温度が上昇され、高温湯となる。熱交換器２１からの高温湯は、高温給湯配管３２に送られる。高温給湯配管３２を通る湯の温度は、温度センサ３３により検出される。この温度センサ３３の検出出力が制御装置２２に送られる。
【００３０】
制御装置２２は、温度センサ３３の検出出力に応じて温調弁２９を開閉制御し、循環する湯の温度が目標値となるように制御する。すなわち、湯の温度が目標値より低いときには、温調弁２９が開かれ、蒸気の流量が増加される。湯の温度が目標値より高いときには、温調弁２９が閉じられ、蒸気の流量が減少される。また、湯の温度が異常に高温になったときには、安全のために、高温異常遮断弁２８が閉じられ、蒸気が遮断される。
【００３１】
熱交換器２１からの高温湯は、高温給湯配管３２から高温給湯配管４に送られると共に、逆止弁３４ａ、３４ｂ、…、３４ｃをそれぞれ通って、サーモスタット付きミキサ２３ａ、２３ｂ、…、２３ｃに送られる。また、サーモスタット付きミキサ２３ａ、２３ｂ、…、２３ｃのそれぞれには、逆止弁２６ａ、２６ｂ、…、２６ｃを通って、給水配管２からの水が送られる。サーモスタット付きミキサ２３ａ、２３ｂ、…、２３ｃで、それぞれ、熱交換器２１からの高温湯と、給水配管２からの水とが混合され、例えば、４５度〜６０度の所定の温度に設定された中温湯が作られる。この湯が中温給湯配管６ａ、６ｂ、…、６ｃにそれぞれ送られる。
【００３２】
中温給湯配管６ａ、６ｂ、…、６ｃの先端は中温終端栓５１ａ、５１ｂ、…、５１ｃにより止められており、中温給湯配管６ａ、６ｂ、…、６ｃと対応する各中温終端栓５１ａ、５１ｂ、…、５１ｃの間には、１以上の中温給湯弁１２ａ、１２ｂ、…、１２ｃが設けられる。中温給湯弁１２ａ、１２ｂ、…、１２ｃが開かれると、中温給湯配管６ａ、６ｂ、…、６ｃに中温湯が流れ、中温給湯弁１２ａ、１２ｂ、…、１２ｃからは、例えば、４０度〜６０度の中温湯が得られる。この中温湯は、手洗いやシャワーに用いられる。
【００３３】
高温給湯配管４と戻り配管５の間には、１以上の高温給湯弁９と、循環経路中の高温湯の流れを付勢する高温ポンプ１０と、逆止弁１１が設けられ、高温湯が循環している。高温給湯弁９が閉じられているときには、熱交換器２１からの高温湯は、高温給湯配管４、戻り配管５からなる循環経路を経て、合流点４１に達し、合流点４１から熱交換器２１に入って循環される。
【００３４】
高温給湯弁９が開かれると、高温給湯弁９から、例えば、９５度前後の高温湯が得られる。この高温湯は、例えば、仕込み水や殺菌洗浄に用いられる。高温給湯弁９が開かれると、高温給湯弁９から、湯が供給されるため、高温給湯配管４、戻り配管５からなる循環経路を経て流れる循環高温湯の量が少なくなる。このときには、所定の流量を確保するために、給水配管２からの水が合流点４１から熱交換器２１に供給され、この水が熱交換器２１で加熱されて、循環される。
【００３５】
以上のように、この実施の形態では、高温湯は循環方式により供給し、中温湯は先止め方式により供給するようにしている。高温湯は循環方式を用いて給湯しているため、給湯弁を開くと常に所望の温度の高温湯が待ち時間なく得られる。中温湯は、先止め方式で供給しているため、装置構成を簡単化することができる。
第３実施形態．
図３は、本考案の第３実施形態を示すものである。この実施形態は、高温湯の給湯を先止め方式で行い、複数の中温湯を循環方式で給湯するようにしたものである。
【００３６】
図３において、給湯システム本体１は、蒸気を使って水を加熱し、例えば、９５度前後の高温湯と、例えば４０度〜６０度の複数の中温湯を作る。給湯システム本体１には、給水配管２、蒸気配管３、高温給湯配管４、バイパス配管５３、戻り配管５、複数の中温給湯配管６ａ、６ｂ、…、６ｃとその戻り配管７ａ、７ｂ、…、７ｃが設けられている。
【００３７】
給水配管２には、外部より水が供給される。給水配管２からの水は、ストレーナー２４を介された後、逆止弁２５を通って、熱交換器２１に送られると共に、逆止弁２６ａ、２６ｂ、…、２６ｃをそれぞれ通って、サーモスタット付きミキサ２３ａ、２３ｂ、…、２３ｃに送られる。
【００３８】
蒸気配管３には、蒸気が供給される。蒸気配管３からの蒸気は、ストレーナー２７を介した後、高温異常遮断弁２８、温調弁２９を通って、熱交換器２１に送られ、スチームトラップ３０を経て、ドレン３１から外部に排出される。
【００３９】
給水配管２からの水が熱交換器２１を通ると、蒸気配管３から供給された蒸気により、給水配管２からの水の温度が上昇され、高温湯となる。熱交換器２１からの高温湯は、高温給湯配管３２に送られる。高温給湯配管３２を通る湯の温度は、温度センサ３３により検出される。この温度センサ３３の検出出力が制御装置２２に送られる。
【００４０】
制御装置２２は、温度センサ３３の検出出力に応じて温調弁２９を開閉制御し、循環する湯の温度が目標値となるように制御する。すなわち、湯の温度が目標値より低いときには、温調弁２９が開かれ、蒸気の流量が増加される。湯の温度が目標値より高いときには、温調弁２９が閉じられ、蒸気の流量が減少される。また、湯の温度が異常に高温になったときには、安全のために、高温異常遮断弁２８が閉じられ、蒸気が遮断される。
【００４１】
熱交換器２１からの高温湯は、高温給湯配管３２から高温給湯配管４に送られると共に、逆止弁３４ａ、３４ｂ、…、３４ｃをそれぞれ通って、サーモスタット付きミキサ２３ａ、２３ｂ、…、２３ｃに送られる。また、高温給湯配管３２からの湯の一部がバイパス配管５３を通じて、戻り配管５に送られる。このバイパス経路中には、逆止弁１１、バイパス経路中の高温湯の流れを付勢する高温ポンプ１０が設けられる。
【００４２】
サーモスタット付きミキサ２３ａ、２３ｂ、…、２３ｃのそれぞれには、熱交換器２１からの高温湯と、給水配管２からの水が送られる。サーモスタット付きミキサ２３ａ、２３ｂ、…、２３ｃで、それぞれ、熱交換器２１からの高温湯と、給水配管２からの水とが混合され、例えば、４５度〜６０度の所定の温度に設定された中温湯が作られる。この中温湯が中温給湯配管６ａ、６ｂ、…、６ｃにそれぞれ送られ、戻り配管７ａ、７ｂ、…、７ｃを通って、分流調整弁３５ａ、３５ｂ、…、３５ｃで分流され、中温給湯配管６ａ、６ｂ、…、６ｃと戻り配管７ａ、７ｂ、…、７ｃとの間を循環する。また、分流調整弁３５ａ、３５ｂ、…、３５ｃを通った中温温水の一部がフローメーター３８ａ、３８ｂ、…、３８ｃを介して分流され、それぞれ、戻り配管３７ａ、３７ｂ、…、３７ｃに送られる。
【００４３】
中温給湯配管６ａ、６ｂ、…、６ｃと対応する各戻り配管７ａ、７ｂ、…、７ｃの間には、中温給湯弁１２ａ、１２ｂ、…、１２ｃ、循環経路中の中温湯の流れを付勢する中温ポンプ１３ａ、１３ｂ、…、１３ｃがそれぞれ設けられる。中温湯を供給する中温給湯弁１２ａ、１２ｂ、…、１２ｃが閉じられているときには、中温給湯配管６ａ、６ｂ、…、６ｃ、戻り配管７ａ、７ｂ、…、７ｃを通って湯が循環し、その循環する湯の一部は、分流調整弁３５ａ、３５ｂ、…、３５ｃをそれぞれ通って、戻り配管３７ａ、３７ｂ、…、３７ｃに送られ、戻り配管３９で合流され、逆止弁４０を通って、戻り配管５７に送られ、合流点４１から熱交換器２１に送られる。
【００４４】
中温給湯弁１２ａ、１２ｂ、…、１２ｃが開かれると、中温給湯弁１２ａ、１２ｂ、…、１２ｃから、例えば、４０度〜６０度の湯が供給される。この中温湯は、手洗いやシャワーに用いられる。中温給湯弁１２ａ、１２ｂ、…、１２ｃが開かれると、中温給湯弁１２ａ、１２ｂ、…、１２ｃから中温湯が供給されるため、戻り配管７ａ、７ｂ、…、７ｃの流量が下がる。このときには、分流調整弁３５ａ、３５ｂ、…、３５ｃを通った中温湯は、それぞれ、逆止弁２６ａ、２６ｂ、…、２６ｃを介して供給された水と合わされてサーモスタット付きミキサ２３ａ、２３ｂ、…、２３ｃに供給される。
【００４５】
高温給湯配管４の先端は高温終端栓５２により止められており、高温給湯配管４と高温終端栓５２の経路中には、１以上の高温給湯弁９が設けられる。高温給湯弁９が閉じられているときに、熱交換器２１からの高温湯の一部は、バイパス配管５３、戻り配管５からなるバイパス経路を経て、合流点４１に達し、合流点４１から熱交換器２１に入って循環される。高温給湯弁９が開かれると、高温給湯配管４に湯が流れ、高温給湯弁９からは、例えば９５度前後の高温湯が得られる。この高温湯は、例えば、仕込み水や殺菌洗浄に用いられる。
【００４６】
以上のように、この実施の形態では、高温湯は先止め方式により給湯し、中温湯は循環方式により給湯するようにしている。中温湯は循環方式を用いて給湯しているため、給湯弁を開くと常に所望の温度の中温湯が待ち時間なく給湯できる。高温湯は、先止め方式で給湯しているため、装置構成を簡単化することができる。
第４実施形態．
図４は、本考案の第４実施形態を示すものである。この実施形態は、高温湯及び複数の中温湯を先止め方式で給湯するようにしたものである。
【００４７】
図４において、給湯システム本体１は、蒸気を使って水を加熱し、例えば、９５度前後の高温湯と、例えば、４０度〜６０度の複数の中温湯を作る。給湯システム本体１には、給水配管２、蒸気配管３、高温給湯配管４、複数の中温の中温給湯配管６ａ、６ｂ、…、６ｃ、バイパス配管５３、戻り配管５が設けられている。
【００４８】
給水配管２には、外部より水が供給される。給水配管２からの水は、ストレーナー２４を介した後、逆止弁２５を通って、熱交換器２１に送られると共に、逆止弁２６ａ、２６ｂ、…、２６ｃをそれぞれ通って、サーモスタット付きミキサ２３ａ、２３ｂ、…、２３ｃに送られる。
【００４９】
蒸気配管３には、蒸気が供給される。蒸気配管３からの蒸気は、ストレーナー２７を介した後、高温異常遮断弁２８、温調弁２９を通って、熱交換器２１に送られ、スチームトラップ３０を経て、ドレン３１から外部に排出される。
【００５０】
給水配管２からの水が熱交換器２１を通ると、蒸気配管３から供給された蒸気により、給水配管２からの水の温度が上昇され、高温湯となる。熱交換器２１からの高温湯は、高温給湯配管３２に送られる。高温給湯配管３２を通る湯の温度は、温度センサ３３により検出される。この温度センサ３３の検出出力が制御装置２２に送られる。
【００５１】
制御装置２２は、温度センサ３３の検出出力に応じて温調弁２９を開閉制御し、循環する湯の温度が目標値となるように制御する。すなわち、湯の温度が目標値より低いときには、温調弁２９が開かれ、蒸気の流量が増加される。湯の温度が目標値より高いときには、温調弁２９が閉じられ、蒸気の流量が減少される。また、湯の温度が異常に高温になったときには、安全のために、高温異常遮断弁２８が閉じられ、蒸気が遮断される。
【００５２】
熱交換器２１からの高温湯は、高温給湯配管３２から高温給湯配管４に送られると共に、逆止弁３４ａ、３４ｂ、…、３４ｃをそれぞれ通って、サーモスタット付きミキサ２３ａ、２３ｂ、…、２３ｃに送られる。また、高温給湯配管３２からの湯の一部がバイパス配管５３、戻り配管５を通じて循環される。このバイパス経路中には、逆止弁１１、バイパス経路中の高温湯の流れを付勢する高温ポンプ１０が設けられる。
【００５３】
サーモスタット付きミキサ２３ａ、２３ｂ、…、２３ｃのそれぞれには、熱交換器２１からの高温湯と、給水配管２からの水が送られる。サーモスタット付きミキサ２３ａ、２３ｂ、…、２３ｃで、それぞれ、熱交換器２１からの高温湯と、給水配管２からの水とが混合され、４５度〜６０度の所定の温度に設定された中温湯が作られる。この湯が中温給湯配管６ａ、６ｂ、…、６ｃにそれぞれ送られる。
【００５４】
中温給湯配管６ａ、６ｂ、…、６ｃの先端は中温終端栓５１ａ、５１ｂ、…、５１ｃにより止められており、中温給湯配管６ａ、６ｂ、…、６ｃと中温終端栓５１ａ、５１ｂ、…、５１ｃの間には、それぞれ１以上の中温給湯弁１２ａ、１２ｂ、…、１２ｃが設けられる。中温給湯弁１２ａ、１２ｂ、…、１２ｃが開かれると、中温給湯配管６ａ、６ｂ、…、６ｃに湯が流れ、中温給湯弁１２ａ、１２ｂ、…、１２ｃからは、例えば、４０度〜６０度の中温湯が得られる。この中温湯は、手洗いやシャワーに用いられる。
【００５５】
高温給湯配管４の先端は高温終端栓５２により止められており、高温給湯配管４の経路中には、１以上の高温給湯弁９が設けられる。高温給湯弁９が閉じられているときには、熱交換器２１からの高温湯の一部は、バイパス配管５３、戻り配管５からなるバイパス経路を経て、合流点４１に達し、合流点４１から熱交換器２１に入って循環する。高温給湯弁９が開かれると、高温給湯配管４に高温湯が流れ、高温給湯弁９からは、例えば、９５度前後の高温湯が得られる。この高温湯は、例えば、仕込み水や殺菌洗浄に用いられる。
【００５６】
以上のように、この実施の形態では、高温湯及び中温湯は共に先止め方式により給湯している。このため、装置構成を簡単化することができる。
【００５７】
以上説明したように、本考案の実施形態によれば、給湯システム本体１からは、外部からの水が供給される給水配管２と、蒸気が供給される蒸気配管３と、高温湯が供給される高温給湯配管４と、高温湯と水とを混合して作られた中温湯が供給される複数の中温給湯配管６ａ、６ｂ、…、６ｃとが設けられる。これにより、例えば、食品工場の仕込み水や殺菌洗浄に用いるような高温湯と、従業員が手を洗浄したり、シャワーを浴びたりするときのような複数の中温湯を、給湯システム本体１の外部に特別な設備を付加することなく、給湯することができる。
【００５８】
本考案は、上述の実施の形態に限定されるものではなく、上記実施の形態を適宜、組み合わせてもよい。
【図面の簡単な説明】
【００５９】
【図１】本考案の第１実施形態を示すシステム図である。
【図２】本考案の第２実施形態を示すシステム図である。
【図３】本考案の第３実施形態を示すシステム図である。
【図４】本考案の第４実施形態を示すシステム図である。
【符号の説明】
【００６０】
１  給湯システム本体
２  給水配管
３  蒸気配管
４  高温給湯配管
５  戻り配管
６ａ、６ｂ、…、６ｃ  中温給湯配管
７ａ、７ｂ、…、７ｃ  戻り配管
９  高温給湯弁
１０  高温ポンプ
１１  逆止弁
１２ａ、１２ｂ、…、１２ｃ  中温給湯弁
１３ａ、１３ｂ、…、１３ｃ  中温ポンプ
２１  熱交換器
２２  制御装置
２３ａ、２３ｂ、…、２３ｃ  サーモスタット付きミキサ
２４  ストレーナー
２５  逆止弁
２６ａ、２６ｂ、…、２６ｃ  逆止弁
２７  ストレーナー
２８  高温異常遮断弁
２９  温調弁
３０  スチームトラップ
３１  ドレン
３２  高温給湯配管
３３  温度センサ
３４ａ、３４ｂ、…、３４ｃ  逆止弁
３５ａ、３５ｂ、…、３５ｃOLE_LINK1  分流調整弁OLE_LINK1
３６ａ、３６ｂ、…、３６ｃ  逆止弁
３７ａ、３７ｂ、…、３７ｃ  戻り配管
３８ａ、３８ｂ、…、３８ｃ  フローメーター
３９  戻り配管
４０  逆止弁
５１ａ、５１ｂ、…、５１ｃ  中温終端栓
５２  高温終端栓
５３  バイパス配管
【図１】
0003102169.tif 000003
【図２】
0003102169.tif 000004
【図３】
0003102169.tif 000005
【図４】
0003102169.tif 000006